(57)【要約】【課題】会員からの情報のアップロードを受付けるウェブサーバに情報をアップロードする際に必要とされるユーザの手間を軽減することの可能な情報管理サーバ、情報アップロードシステム、情報アップロード方法、及び、情報アップロードプログラムを提供する。【解決手段】情報管理サーバ３０は、ウェブサーバにおける会員の認証情報と会員の識別情報とが対応付けられた認証データベース３２ａが記憶される記憶部３２と、端末から受信される被照合情報を識別情報と照合し、照合によって特定される識別情報と対応付けられた認証情報を認証データに基づいて特定し、端末から受信されるパターン認識結果に応じて、特定された認証情報をウェブサーバに送信してパターン認識結果に応じた情報をウェブサーバにアップロードする制御部３３と、を備える。【選択図】図２
2014071494.tif 000002
【特許請求の範囲】
【請求項１】
会員からの情報のアップロードを受付けるウェブサーバと、パターン認識を行う端末とに、ネットワークを介して接続する情報管理サーバであって、
前記ウェブサーバにおける会員の認証情報と前記会員の識別情報とが対応付けられた認証データが記憶される記憶部と、
前記端末から受信される被照合情報を前記識別情報と照合し、前記照合によって特定される前記識別情報と対応付けられた前記認証情報を前記認証データに基づいて特定する特定部と、
前記端末から受信されるパターン認識結果に応じて、前記特定された前記認証情報を前記ウェブサーバに送信して前記ウェブサーバに情報をアップロードする送信処理部と、
を備える情報管理サーバ。
【請求項２】
前記記憶部には、
前記ウェブサーバにアップロードされる相互に異なる情報を指定する複数のアップロード指定情報と、相互に異なる複数の前記パターン認識結果とが対応付けられたアップロードデータが記憶され、
前記送信処理部は、
前記端末から受信された前記パターン認識結果に対応する前記アップロード指定情報を前記アップロードデータに基づいて特定し、前記認証情報を前記ウェブサーバに送信して前記特定された前記アップロード指定情報によって指定される情報を前記ウェブサーバにアップロードする
請求項１に記載の情報管理サーバ。
【請求項３】
前記記憶部には、
前記ウェブサーバにアップロードされる相互に異なる情報を指定する複数のアップロード指定情報と、相互に異なる複数の端末識別情報とが対応付けられたアップロードデータが記憶され、
前記送信処理部は、
前記端末から受信される前記端末識別情報と対応付けられた前記アップロード指定情報を前記アップロードデータに基づいて特定し、前記認証情報を前記ウェブサーバに送信して前記特定された前記アップロード指定情報によって指定される情報を前記ウェブサーバにアップロードする
請求項１に記載の情報管理サーバ。
【請求項４】
前記会員の識別情報と前記被照合情報との照合は、顔照合である
請求項１〜３のいずれか一項に記載の情報管理サーバ。
【請求項５】
前記会員の識別情報は、タグの識別情報であり、
前記被照合情報は、前記端末によって読み取られるタグの識別情報である
請求項１〜３のいずれか一項に記載の情報管理サーバ。
【請求項６】
前記ウェブサーバにアップロードされる情報は、前記端末にて撮影された画像と前記パターン認識結果に応じた所定の画像とが合成された合成画像を含む
請求項１〜５のいずれか一項に記載の情報管理サーバ。
【請求項７】
会員からの情報のアップロードを受付けるウェブサーバに情報をアップロードする情報アップロードシステムであって、
パターン認識を行う端末と、
前記端末及び前記ウェブサーバとネットワークを介して接続する情報管理サーバと、
を備え、
前記情報管理サーバは、
前記ウェブサーバにおける会員の認証情報と前記会員の識別情報とが対応付けられた認証データが記憶される記憶部と、
前記端末から受信される被照合情報を前記識別情報と照合し、前記照合によって特定される前記識別情報と対応付けられた前記認証情報を前記認証データに基づいて特定する特定部と、
前記端末から受信されるパターン認識結果に応じて、前記特定された前記認証情報を前記ウェブサーバに送信して前記ウェブサーバに情報をアップロードする送信処理部と、を備える
情報アップロードシステム。
【請求項８】
会員からの情報のアップロードを受付けるウェブサーバに情報をアップロードする情報アップロード方法であって、
パターン認識を行う端末から情報管理サーバに送信される被照合情報を前記会員の識別情報と照合するステップと、
前記照合によって特定される前記識別情報と対応付けられた前記ウェブサーバにおける会員の認証情報を特定するステップと、
前記端末から受信されるパターン認識結果に応じて、前記特定された前記認証情報を前記ウェブサーバに送信して前記ウェブサーバに情報をアップロードするステップと、
を含む情報アップロード方法。
【請求項９】
会員からの情報のアップロードを受付けるウェブサーバと、パターン認識を行う端末とに、ネットワークを介して接続する情報管理サーバを用いて、前記ウェブサーバに情報をアップロードする情報アップロードプログラムであって、
前記情報管理サーバを、
前記ウェブサーバにおける会員の認証情報と前記会員の識別情報とが対応付けられた認証データが記憶される記憶部と、
前記端末から受信される被照合情報を前記識別情報と照合し、前記照合によって特定される前記識別情報と対応付けられた前記認証情報を前記認証データに基づいて特定する特定部と、
前記端末から受信されるパターン認識結果に応じて、前記特定された前記認証情報を前記ウェブサーバに送信して前記ウェブサーバに情報をアップロードする送信処理部と、
として機能させる情報アップロードプログラム。
【発明の詳細な説明】
【技術分野】
【０００１】
本開示の技術は、会員からの情報のアップロードを受付けるウェブサーバに情報がアップロードされる際に用いられる情報管理サーバ、情報アップロードシステム、情報アップロード方法、及び、情報アップロードプログラムに関する。
【背景技術】
【０００２】
従来から、ミニブログやソーシャル・ネットワーキング・サービス（ＳＮＳ）等の会員制のウェブサイトが注目されている。こうした会員制ウェブサイトでは、例えば、特許文献１に記載のように、会員から投稿された情報がウェブページに掲載される。近年、インターネット等のネットワークの発達とスマートフォン等の携帯情報端末の普及とに従って、会員が会員制ウェブサイトへ情報を投稿する場所や時間の自由度が高まっている。
【先行技術文献】
【特許文献】
【０００３】
【特許文献１】特開２０１２−２７６０４号公報
【発明の概要】
【発明が解決しようとする課題】
【０００４】
ところで、会員制ウェブサイトへの投稿の機会は、例えば、展示会等の催事への参加時や小売店舗への来店時にまで広がっている。一方で、ユーザが情報を投稿するためには、少なくとも文章の作成や会員制ウェブサイトへの所定の投稿処理等がその都度必要とされる。結果として、催事への参加時や小売店舗への来店時に上述の処理を行うことは、ユーザにとって依然として煩雑なものとなっている。
【０００５】
本開示の技術は、会員からの情報のアップロードを受付けるウェブサーバに情報をアップロードする際に必要とされるユーザの手間を軽減することの可能な情報管理サーバ、情報アップロードシステム、情報アップロード方法、及び、情報アップロードプログラムを提供することを目的とする。
【課題を解決するための手段】
【０００６】
上記課題を解決する情報管理サーバは、会員からの情報のアップロードを受付けるウェブサーバと、パターン認識を行う端末とに、ネットワークを介して接続する情報管理サーバであって、前記ウェブサーバにおける会員の認証情報と前記会員の識別情報とが対応付けられた認証データが記憶される記憶部と、前記端末から受信される被照合情報を前記識別情報と照合し、前記照合によって特定される前記識別情報と対応付けられた前記認証情報を前記認証データに基づいて特定する特定部と、前記端末から受信されるパターン認識結果に応じて、前記特定された前記認証情報を前記ウェブサーバに送信して前記ウェブサーバに情報をアップロードする送信処理部と、を備える。
【０００７】
上記課題を解決する情報アップロードシステムは、会員からの情報のアップロードを受付けるウェブサーバに情報をアップロードする情報アップロードシステムであって、パターン認識を行う端末と、前記端末及び前記ウェブサーバとネットワークを介して接続する情報管理サーバと、を備え、前記情報管理サーバは、前記ウェブサーバにおける会員の認証情報と前記会員の識別情報とが対応付けられた認証データが記憶される記憶部と、前記端末から受信される被照合情報を前記識別情報と照合し、前記照合によって特定される前記識別情報と対応付けられた前記認証情報を前記認証データに基づいて特定する特定部と、前記端末から受信されるパターン認識結果に応じて、前記特定された前記認証情報を前記ウェブサーバに送信して前記ウェブサーバに情報をアップロードする送信処理部と、を備える。
【０００８】
上記課題を解決する情報アップロード方法は、会員からの情報のアップロードを受付けるウェブサーバに情報をアップロードする情報アップロード方法であって、パターン認識を行う端末から情報管理サーバに送信される被照合情報を前記会員の識別情報と照合するステップと、前記照合によって特定される前記識別情報と対応付けられた前記ウェブサーバにおける会員の認証情報を特定するステップと、前記端末から受信されるパターン認識結果に応じて、前記特定された前記認証情報を前記ウェブサーバに送信して前記ウェブサーバに情報をアップロードするステップと、を含む。
【０００９】
上記課題を解決する情報アップロードプログラムは、会員からの情報のアップロードを受付けるウェブサーバと、パターン認識を行う端末とに、ネットワークを介して接続する情報管理サーバを用いて、前記ウェブサイトサーバに情報をアップロードする情報アップロードプログラムであって、前記情報管理サーバを、前記ウェブサーバにおける会員の認証情報と前記会員の識別情報とが対応付けられた認証データが記憶される記憶部と、前記端末から受信される被照合情報を前記識別情報と照合し、前記照合によって特定される前記識別情報と対応付けられた前記認証情報を前記認証データに基づいて特定する特定部と、前記端末から受信されるパターン認識結果に応じて、前記特定された前記認証情報を前記ウェブサーバに送信して前記ウェブサーバに情報をアップロードする送信処理部と、として機能させる。
【００１０】
上記構成によれば、端末におけるパターン認識に基づいてウェブサーバに情報がアップロードされる。したがって、ユーザ自らが情報のアップロードのための投稿処理を行う場合と比べて、ウェブサーバに情報をアップロードする際に必要とされるユーザの手間を軽減することが可能となる。
【００１１】
上記情報管理サーバにて、前記記憶部には、前記ウェブサーバにアップロードされる相互に異なる情報を指定する複数のアップロード指定情報と、相互に異なる複数の前記パターン認識結果とが対応付けられたアップロードデータが記憶され、前記送信処理部は、前記端末から受信された前記パターン認識結果に対応する前記アップロード指定情報を前記アップロードデータに基づいて特定し、前記認証情報を前記ウェブサーバに送信して前記特定された前記アップロード指定情報によって指定される情報を前記ウェブサーバにアップロードすることが好ましい。
【００１２】
上記構成によれば、ウェブサーバにアップロードされる情報が、パターン認識結果に応じて決定される。したがって、ウェブサーバへアップロードされる内容が多様化される。
上記情報管理サーバにて、前記記憶部には、前記ウェブサーバにアップロードされる相互に異なる情報を指定する複数のアップロード指定情報と、相互に異なる複数の端末識別情報とが対応付けられたアップロードデータが記憶され、前記送信処理部は、前記端末から受信される前記端末識別情報と対応付けられた前記アップロード指定情報を前記アップロードデータに基づいて特定し、前記認証情報を前記ウェブサーバに送信して前記特定された前記アップロード指定情報によって指定される情報を前記ウェブサーバにアップロードすることが好ましい。
【００１３】
上記構成によれば、ウェブサーバにアップロードされる情報が、パターン認識が行われる端末とパターン認識結果とに応じて決定される。したがって、ウェブサーバへアップロードされる内容が多様化される。
【００１４】
上記情報管理サーバにて、前記会員の識別情報と前記被照合情報との照合は、顔照合であることが好ましい。
上記態様によれば、生態認証が用いられることにより、会員の認証情報の特定に際してのセキュリティが高められる。また、会員の認証情報の特定に際して、ユーザが被照合情報を携帯あるいは記憶することが不要となるため、ウェブサーバに情報をアップロードする際に必要とされるユーザの手間がさらに軽減される。
【００１５】
上記情報管理サーバにて、前記会員の識別情報は、タグの識別情報であり、前記被照合情報は、前記端末によって読み取られるタグの識別情報であることが好ましい。
上記構成によれば、端末によって読み取られたタグの識別情報に基づいて、会員の識別情報と被照合情報との照合が行われる。したがって、簡易な態様で、会員の認証情報の特定を行うことができる。
【００１６】
上記情報管理サーバにて、前記ウェブサーバにアップロードされる情報は、前記端末にて撮影された画像と前記パターン認識結果に応じた所定の画像とが合成された合成画像を含むことが好ましい。
【００１７】
上記構成によれば、端末にて撮影された画像とパターン認識の結果に応じた画像とが合成された画像がウェブサーバにアップロードされる。したがって、ウェブサーバにアップロードされる画像に、装飾性や宣伝効果等の付加価値を付与することが可能となる。
【発明の効果】
【００１８】
本開示の技術によれば、会員からの情報のアップロードを受付けるウェブサーバに情報をアップロードする際に必要とされるユーザの手間を軽減することが可能となる。
【図面の簡単な説明】
【００１９】
【図１】本開示の技術における第１の実施形態の情報アップロードシステムの全体構成を示す図である。
【図２】第１の実施形態の情報管理サーバの構成を示すブロック図である。
【図３】第１の実施形態における認証データベースのデータ構成を示す図である。
【図４】第１の実施形態におけるアップロードデータベースのデータ構成を示す図である。
【図５】第１の実施形態での情報のアップロードの手順を示すフローチャートである。
【図６】第１の実施形態での情報のアップロードの手順を示すシーケンス図である。
【図７】第１の実施形態における顔認識、及び、ジェスチャー認識に用いられる画像の一例を示す図である。
【図８】第１の実施形態における合成画像の一例を示す図である。
【図９】本開示の技術における第２の実施形態の情報アップロードシステムの全体構成を示す図である。
【図１０】第２の実施形態における認証データベースのデータ構成を示す図である。
【図１１】第２の実施形態での情報のアップロードの手順を示すシーケンス図である。
【図１２】変形例のアップロードデータベースのデータ構成を示す図である。
【図１３】変形例のアップロードデータベースのデータ構成を示す図である。
【発明を実施するための形態】
【００２０】
（第１の実施形態）
図１〜図８を参照して第１の実施形態を説明する。なお、本実施形態の情報管理サーバ、情報アップロードシステム、情報アップロード方法、及び、情報アップロードプログラムは、ユーザが、展示会等の催事への参加時に会員制のウェブサイトへ情報を投稿する際に用いられる。まず、本実施形態の情報アップロードシステムの全体構成について、図１を参照して説明する。
【００２１】
［情報アップロードシステムの構成］
図１に示されるように、情報アップロードシステムは、会員制ウェブサイトサーバ１０と投稿用端末２０と情報管理サーバ３０とを含む。これら会員制ウェブサイトサーバ１０と投稿用端末２０と情報管理サーバ３０とは、インターネット等のネットワークＮＷを介して相互にデータを送信及び受信する。
【００２２】
会員制ウェブサイトサーバ１０は、ミニブログやＳＮＳ等の会員制ウェブサイトを構築する。会員制ウェブサイトは、催事を開催する団体の催事用ページと、会員であるユーザの個人用ページとを備えている。そして、ユーザが会員制ウェブサイトの会員になる際に、会員制ウェブサイトサーバ１０は、ユーザに会員ＩＤを通知する。会員ＩＤは、会員が会員制ウェブサイトサーバ１０を使用する際の会員の認証に用いられる識別コードやパスワード等の認証情報である。会員ＩＤが会員制ウェブサイトサーバ１０に入力されると、会員制ウェブサイトサーバ１０は、ユーザを会員として認証する。会員制ウェブサイトサーバ１０に対して会員からの情報がアップロードされることによって、文章や画像等の情報が会員の個人用ページに投稿される。また、会員制ウェブサイトサーバ１０に対して会員からの情報がアップロードされることによって、催事用ページの記事に対する支持票や文章が投稿される。
【００２３】
投稿用端末２０は、画像の撮影機能を備えている。投稿用端末２０は、例えば、タブレット端末に具体化され、催事会場内の展示物の付近に設置される。投稿用端末２０には、投稿用端末２０が備えるカメラによって映し出された画像を解析して顔認識を行う機能と、同様の画像を解析してパターン認識を行う機能とを備えている。投稿用端末２０は、顔認識によって人間の顔を認識する。また、投稿用端末２０は、パターン認識によって、予め認識可能に設定された特定のジェスチャーを認識する。また、投稿用端末２０は、ジェスチャーの認識結果に応じて、投稿用端末２０が備えるカメラによって撮影された画像における所定の位置に所定の画像を合成する機能を備えている。顔認識機能、パターン認識機能、及び画像合成機能の各々は、投稿用端末２０に予めインストールされた各種のアプリケーションソフトウェアによって実現されてもよいし、各々の機能に特化したハードウェアによって具体化されてもよい。
【００２４】
情報管理サーバ３０は、情報アップロードプログラムに従って、投稿用端末２０から送信される情報に基づき、会員制ウェブサイトサーバ１０へ情報をアップロードする。情報管理サーバ３０には、複数のユーザの各々の顔を示す顔データが記憶され、顔データは、投稿用端末２０にて認識された顔と複数のユーザの各々の顔との照合に用いられる。また、情報管理サーバ３０には、投稿用端末２０にて認識されるジェスチャーの種類、会員制ウェブサイトの会員ＩＤに対応する会員認証キー、会員制ウェブサイトへの情報のアップロード態様を指定するアップロード指定情報等が記憶されている。
【００２５】
ネットワークＮＷには、上記の会員制ウェブサイトサーバ１０、投稿用端末２０、情報管理サーバ３０の他に、ユーザが事前登録を行う際に使用されるユーザ端末４０や、ユーザの顔データが情報管理サーバ３０に登録される際に使用される登録用端末５０が接続されている。ユーザ端末４０は、例えば、パーソナルコンピュータやスマートフォン等の情報端末に具体化される。登録用端末５０は、画像の撮影機能を備え、例えば、タブレット端末に具体化される。登録用端末５０は、例えば、催事会場の入口等に設置される。
【００２６】
［情報管理サーバの構成］
図２〜図４を参照して情報管理サーバ３０の構成を説明する。
図２に示されるように、情報管理サーバ３０は、通信部３１、記憶部３２、特定部及び送信処理部としての制御部３３を備えている。
【００２７】
通信部３１は、情報管理サーバ３０と会員制ウェブサイトサーバ１０との接続処理や情報管理サーバ３０と投稿用端末２０との接続処理を実行する。また、通信部３１は、接続先となる装置と通信部３１との間で情報の送信及び受信を行う。記憶部３２は、上述の情報アップロードプログラムの他、認証データベース３２ａとアップロードデータベース３２ｂとを格納している。制御部３３は、データ更新部３３ａとデータ処理部３３ｂとを備えている。
【００２８】
図３に示されるように、認証データベース３２ａは、受付番号と、基本情報と、会員認証キーと、顔データとから構成されている。受付番号とは、事前登録にて受け付けられた順に割り当てられる番号であって、事前登録を行ったユーザに固有の番号である。基本情報は、会員の氏名等、事前登録の際に登録される情報である。
【００２９】
会員認証キーは、情報管理サーバ３０が会員に代わって会員制ウェブサイトサーバ１０へアクセスする際に用いられる認証情報である。会員認証キーは、会員に代わって情報管理サーバ３０が会員制ウェブサイトサーバ１０へアクセスすることをその会員が承認することにより、情報管理サーバ３０に対して発行される。顔データは、会員の識別情報であって、登録用端末５０によって撮影されたユーザの顔画像を示す。
【００３０】
認証データベース３２ａでは、受付番号と基本情報と会員認証キーと顔データとが相互に対応付けられている。例えば、「０００００１」の受付番号には、基本情報として会員の氏名である「山田太郎」が対応付けられ、また、会員認証キーとして「０７６２２５０７７」が対応付けられている。また、これらの情報には、顔データとして「顔画像Ａ」という画像が対応付けられている。
【００３１】
図４に示されるように、アップロードデータベース３２ｂは、ジェスチャー種類と、アップロード指定情報とから構成されている。ジェスチャー種類は、投稿用端末２０にて認識されるジェスチャーの種類である。アップロード指定情報とは、会員制ウェブサイトサーバ１０への情報のアップロード態様を示す情報である。アップロード指定情報は、会員制ウェブサイトにおける情報の投稿先と、アップロードされる情報である投稿内容を指定する情報とを含む。例えば、アップロード指定情報は、投稿先として、催事用ページの特定の記事や個人用ページを含む。また、アップロード指定情報は、投稿内容として、支持票や特定の文章や特定の画像や投稿用端末２０による撮影画像を示すデータを含む。
【００３２】
アップロードデータベース３２ｂでは、ジェスチャー種類とアップロード指定情報とが対応付けられている。例えば、ジェスチャー種類の一つには、ピースサインが設定され、ピースサインには、投稿用端末２０にて撮影された撮影画像を個人用ページに投稿することがアップロード指定情報として対応付けられている。また、ジェスチャー種類の一つには、両手を上げる手振りが設定され、両手を挙げる手振りには、催事用ページの記事ａに支持票を投稿することがアップロード指定情報として対応付けられている。
【００３３】
データ更新部３３ａは、事前登録や顔データの登録に際して、認証データベース３２ａの内容を更新する。
データ処理部３３ｂは、投稿用端末２０から送信される顔の認識情報と、認証データベース３２ａに記憶されている顔データとを照合して、送信された顔の認識情報と同一人物の可能性が高い顔データを特定する。この照合には、顔認証技術が用いられる。例えば、投稿用端末２０にて認識された顔に対し、顔のパーツの相対位置や大きさ等から特徴値が算出され、一致する特徴値を有する画像が顔データから検索されることによって、顔データが特定される。データ処理部３３ｂは、特定された顔データに基づいて、認証データベース３２ａにおいて当該顔データと対応付けられている会員認証キーを特定する。会員認証キーが特定されると、データ処理部３３ｂは、会員認証キーの特定が完了したことの通知を投稿用端末２０に通信部３１を介して送信する。なお、データ処理部３３ｂは、この通知とともに、特定された会員認証キーと対応付けられている基本情報を投稿用端末２０に送信する。
【００３４】
また、データ処理部３３ｂは、投稿用端末２０から送信されるジェスチャーの認識結果に基づいて、アップロードデータベース３２ｂにおいて当該認識結果に対応するジェスチャー種類と対応付けられているアップロード指定情報を特定する。アップロード指定情報が特定されると、データ処理部３３ｂは、会員認証キーと当該アップロード指定情報に基づいたアップロードデータとを会員制ウェブサイトサーバ１０に通信部３１を介して送信する。
【００３５】
［情報アップロードシステムの作用］
図５〜図８を参照して、情報管理サーバ３０を用いて行われる会員制ウェブサイトサーバ１０への情報のアップロードの手順について説明する。図５は、会員制ウェブサイトサーバ１０へ情報がアップロードされる手順を示すフローチャートである。会員制ウェブサイトサーバ１０への情報のアップロード（ステップＳ３）は、事前登録（ステップＳ１）と、顔データの情報管理サーバ３０への登録（ステップＳ２）との後に行われる。
【００３６】
まず、ステップＳ１で行われる事前登録について説明する。
ネットワークＮＷに接続されたユーザ端末４０では、事前登録サイトからユーザの事前登録が行われる。なお、事前登録は催事への参加登録を兼ねてもよい。本実施形態では、事前登録サイトが、会員制ウェブサイトと連動するアプリケーションソフトウェアを提供する。事前登録では、基本情報と上記会員ＩＤとが、ユーザ端末４０から会員制ウェブサイトサーバ１０に入力される。会員制ウェブサイトサーバ１０は、入力された基本情報と会員ＩＤとに対し、固有の受付番号を割り当てる。
【００３７】
なお、会員制ウェブサイトと連動するアプリケーションソフトウェアを事前登録サイトが提供する構成であれば、ユーザが会員制ウェブサイトにログインした状態で事前登録が行われるため、会員ＩＤは自動取得される。したがって、この場合、会員ＩＤの入力を省略することができる。
【００３８】
また、こうした事前登録の過程において、ユーザは、情報管理サーバ３０がユーザに代わって会員制ウェブサイトサーバ１０へ情報をアップロードすることに対しての承認を行う。ユーザの承認が得られると、会員制ウェブサイトサーバ１０は、入力された会員ＩＤと対応するユーザに代わって情報管理サーバ３０が会員制ウェブサイトサーバ１０へアクセスする際に用いられる認証情報として上記会員認証キーを発行する。
【００３９】
会員制ウェブサイトサーバ１０は、受付番号と基本情報と会員認証キーとを情報管理サーバ３０へ送信する。受付番号と基本情報と会員認証キーとが受信されると、情報管理サーバ３０のデータ更新部３３ａは、これらを相互に対応付けた状態で認証データベース３２ａに登録する。これにより、当該ユーザに関しての事前登録が完了する。事前登録が完了すると、会員制ウェブサイトサーバ１０は、該当する受付番号を事前登録サイトのページ上に表示したり、ユーザ端末４０へメールを送信したりすることによって、受付番号をユーザに通知する。
【００４０】
次に、ステップ２で行われる顔データの登録について説明する。
催事会場では、登録用端末５０によって、ユーザの顔データが情報管理サーバ３０へ登録される。なお、登録用端末５０には、予め顔データの登録処理を行う登録用アプリケーションソフトウェアがインストールされている。
【００４１】
顔データの登録処理では、まず、ユーザによって、登録用端末５０に事前登録の際に通知された受付番号が入力される。続いて、登録用端末５０によって、ユーザの顔画像が撮影される。このとき、登録用端末５０では、顔認識が行われ、顔が認識されることに基づいて静止画像が撮影される。これによって、登録用端末５０では、投稿用端末２０にて顔認証に用いられるデータとして適した顔写真が撮影される。登録用端末５０は、入力された受付番号と撮影された顔画像とを情報管理サーバ３０へ送信する。
【００４２】
情報管理サーバ３０のデータ更新部３３ａは、送信された受付番号に基づいて、認証データベース３２ａにおいて該当する受付番号と対応付けられている基本情報及び会員認証キーを特定する。そして、データ更新部３３ａは、特定された基本情報及び会員認証キーと、送信された顔画像とを対応付けて認証データベース３２ａを更新する。
【００４３】
図６に示されるシーケンス図を参照して、ステップＳ３で行われるアップロードの手順について説明する。なお、ここでは、アップロードデータベース３２ｂにて、ピースサインというジェスチャー種類に、投稿先として個人用ページが対応付けられ、また、投稿内容として投稿用端末２０による撮影画像が対応付けられている場合について説明する。
【００４４】
催事会場内において、投稿用端末２０の付近には、投稿用端末２０によって認識されるジェスチャーの種類と、各々のジェスチャーと対応する投稿内容が表示されている。ユーザは、こうした表示を参考にして、会員制ウェブサイトへの投稿を行いたい場合に、投稿用端末２０のカメラに向かって、投稿したい内容と対応するジェスチャーを行う。投稿用端末２０は、カメラによって映し出された画像を認識用に取り込み、取り込まれた画像を解析する（ステップＳ１０）。
【００４５】
図７に示されるように、例えば、ユーザがピースサインを行う画像Ｐ１が取り込まれた場合、まず、顔部分が含まれる画像領域Ａに対して顔認識が行われる。
顔が認識されると、投稿用端末２０は、被照合情報として顔の認識情報を情報管理サーバ３０に送信する（ステップＳ１１）。なお、認識情報は画像として送信されてもよく、顔認証に用いられる特徴値が投稿用端末２０にて算出された上で、この特徴値が認識情報として送信されてもよい。要は、認識情報は、情報管理サーバ３０にて顔認証が行われる際に利用可能な情報であればよい。
【００４６】
情報管理サーバ３０は、受信された認識情報に基づいて、認証データベース３２ａに登録された顔データのうち認識情報との合致度が高い顔データを特定する。そして、情報管理サーバ３０は、特定された顔データと認証データベース３２ａとに基づいて、当該顔データと対応付けられている会員認証キー及び基本情報を特定する（ステップＳ１２）。
【００４７】
会員認証キー及び基本情報が特定されると、情報管理サーバ３０は、会員認証キーの特定が完了したことを通知する完了通知を投稿用端末２０に送信する。この際、情報管理サーバ３０は、完了通知とともに、特定された基本情報も投稿用端末２０に送信する（ステップＳ１３）。なお、受信された認証情報と合致する顔データが認証データベース３２ａに登録されていない場合には、情報管理サーバ３０は、顔データの特定ができないことを通知する信号を投稿用端末２０に送信する。この信号が受信されると、投稿用端末２０には、ユーザに対してユーザの特定に失敗したことを通知するメッセージが表示される。
【００４８】
完了通知が受信されると、投稿用端末２０は、カメラによって映し出された画像を解析してパターン認識を行うことにより、予め認識可能に設定されている特定のジェスチャーの認識を行う（ステップＳ１４）。すなわち、図７に示されるように、ピースサインが含まれる画像領域Ｂに対してジェスチャー認識が行われる。
【００４９】
そして、特定のジェスチャーが認識されると、投稿用端末２０は、認識されたジェスチャーの種類を示す認識情報をパターン認識結果として情報管理サーバ３０に送信する（ステップＳ１５）。
【００５０】
情報管理サーバ３０は、受信された認識情報とアップロードデータベース３２ｂとに基づいて、認識されたジェスチャー種類と対応付けられているアップロード指定情報を特定する（ステップＳ１６）。情報管理サーバ３０は、特定されたアップロード指定情報に基づいて、投稿内容と投稿先とを投稿用端末２０が通知するための特定情報を投稿用端末２０に送信する（ステップＳ１７）。なお、以下では、投稿用端末２０では、ジェスチャーとしてピースサインが認識され、情報管理サーバ３０では、投稿用端末２０による撮影画像を個人用ページに投稿することを示すアップロード指定情報が特定された場合について説明する。
【００５１】
投稿用端末２０は、受信された特定情報に含まれる投稿内容に基づいて、カメラによって映し出されている画像をアップロード用の画像として再び撮影する（ステップＳ１８）。投稿用端末２０は、撮影された画像における所定の位置に所定の画像を合成して合成画像を生成する（ステップＳ１９）。
【００５２】
図８に示されるように、例えば、投稿用端末２０は、認識されたピースサインの上部に、星と文字からなる図案Ｃが合成された合成画像Ｐ２を生成する。
投稿用端末２０は、合成画像Ｐ２、及び、情報管理サーバ３０から送信された基本情報と特定情報とを用いて、投稿先と投稿内容とをユーザに確認する（ステップＳ２０）。この確認は、例えば、投稿用端末２０に「○○さんとして、○○さんのページにこの画像を投稿してよいですか？」というメッセージと合成画像Ｐ２とが表示されることにより行われる。
【００５３】
ユーザが所定の操作を行うことによって投稿の承諾が得られると、投稿用端末２０は、情報管理サーバ３０に合成画像Ｐ２を示す画像データを送信する（ステップＳ２１）。
画像データが受信されると、情報管理サーバ３０は、会員制ウェブサイトサーバ１０にステップＳ１２にて特定された会員認証キーを送信するとともに、ステップＳ１６にて特定されたアップロード指定情報に基づいて、会員制ウェブサイトサーバ１０にアップロードデータを送信する（ステップＳ２２）。これにより、会員認証キーと画像データとが会員制ウェブサイトサーバ１０に送信される。なお、情報管理サーバ３０は、アップロードデータを送信した後に、特定された会員認証キー及びアップロード指定情報をリセットする。これにより、連続して異なるユーザが情報のアップロードを行う場合に、ユーザの混同が起こることが抑制される。
【００５４】
会員制ウェブサイトサーバ１０は、受信された会員認証キーの認証処理を行った後に（ステップＳ２３）、受信されたアップロードデータの処理を行う（ステップＳ２４）。アップロードデータの処理が実行されると、その処理の結果が、会員制ウェブサイトサーバ１０から情報管理サーバ３０を経由して投稿用端末２０に送信される（ステップＳ２５）。
【００５５】
投稿用端末２０は、会員制ウェブサイトサーバ１０での処理結果を受信すると、処理結果の内容を表示し、会員制ウェブサイトサーバ１０への情報のアップロードが正常に行われたか否かをユーザに通知する（ステップＳ２６）。
【００５６】
なお、アップロード指定情報によって、投稿内容として、予め用意された文章の投稿や支持票の投稿が指定される場合には、ステップＳ１８及びステップＳ１９の処理は行われずに、ステップＳ２０の投稿の確認が行われる。
【００５７】
このように、情報管理サーバ３０には、ユーザの顔データと会員制ウェブサイトの会員認証キーとが対応付けられたデータ、及び、投稿用端末２０にて認識されるジェスチャーの種類とアップロード指定情報とが対応付けられたデータが記憶されている。そして、投稿用端末２０から送信される顔の認識情報とジェスチャーの認識結果とに基づいて、情報管理サーバ３０は、会員制ウェブサイトサーバ１０へ情報をアップロードする。
【００５８】
したがって、ユーザが投稿用端末２０のカメラに向かってジェスチャーを行うという簡易な動作によって、会員制ウェブサイトサーバ１０へ情報がアップロードされる。特に、会員認証キーとアップロード指定情報との特定が、身振りや手振りを利用して行われるため、ユーザが情報を記憶したり、情報が記憶された媒体を携帯したりする必要がない。したがって、会員制ウェブサイトサーバ１０に情報をアップロードする際に必要とされるユーザの手間が、より軽減される。
【００５９】
また、基本情報や会員認証キーといったユーザの個人情報は、情報管理サーバ３０に記憶されており、投稿用端末２０には登録されていない。したがって、個人情報の不正な読み取り等に対するセキュリティを高めることができる。さらに、会員認証キーの特定が、顔認証によって行われるため、ユーザの個人情報を特定するにあたってのセキュリティが高められる。
【００６０】
以上説明したように、第１の実施形態によれば、以下に列挙する効果が得られる。
（１）投稿用端末２０から送信される顔の認識情報とジェスチャーの認識情報とに基づいて、情報管理サーバ３０は、会員制ウェブサイトサーバ１０へ情報をアップロードする。したがって、ユーザ自らが情報のアップロードのための認証処理や投稿処理等を行う場合と比べて、会員制ウェブサイトサーバ１０に情報をアップロードする際に必要とされるユーザの手間が軽減される。
【００６１】
（２）会員認証キーとアップロード指定情報との特定が、身振りや手振りを利用して行われるため、ユーザが情報を記憶したり、情報が記憶された媒体を携帯したりする必要がない。したがって、会員制ウェブサイトサーバ１０に情報をアップロードする際に必要とされるユーザの手間が、より軽減される。
【００６２】
（３）会員制ウェブサイトの会員認証キーが、情報管理サーバ３０に記憶されて、投稿用端末２０には登録されない。したがって、個人情報の不正な読み取り等に対するセキュリティを高めることができる。
【００６３】
（４）会員認証キーの特定が、顔認証によって行われるため、ユーザの個人情報を特定するにあたってのセキュリティが高められる。
（５）ジェスチャーの種類とアップロード指定情報とが対応付けられ、投稿用端末２０にて認識されるジェスチャーの種類に応じてアップロード指定情報が特定される。すなわち、会員制ウェブサイトサーバ１０にアップロードされる情報が、ジェスチャーの認識結果に応じて決定されるため、会員制ウェブサイトサーバ１０へアップロードされる内容の多様化が可能となる。
【００６４】
（６）投稿用端末２０にて撮影された画像と、ジェスチャーの認識結果に応じた画像とが合成された合成画像Ｐ２が会員制ウェブサイトサーバ１０にアップロードされる。したがって、会員制ウェブサイトサーバ１０にアップロードされる画像に、装飾性や宣伝効果等の付加価値を付与することが可能となる。
【００６５】
（７）ユーザに対して、ユーザと投稿先と投稿内容との確認が行われる。したがって、ユーザの誤特定やユーザの意に沿わない投稿が行われることが抑えられる。
（第２の実施形態）
図９〜図１１を参照して、第２の実施形態について、第１の実施形態との相違点を中心に説明する。本実施形態は、会員認証キーの特定に用いられる情報と、情報管理サーバ３０に記憶される情報のデータ構成が、第１の実施形態と異なり、その他の基本的な構成は第１の実施形態と同様である。そのため、第１の実施形態と実質的に同一の構成要素にはそれぞれ同一の符号を付して示し、重複する説明は省略する。まず、本実施形態の情報アップロードシステムの全体構成について、図９を参照して説明する。
【００６６】
［情報アップロードシステムの構成］
図９に示されるように、本実施形態では、会員認証キーの特定にタグ６０が用いられる。タグ６０は、タグ６０の識別に用いられる識別情報としてタグＩＤを割り当てられている。タグＩＤは、二次元コード化されてタグ６０に備えられている。タグ６０は、例えば、リストバンドやキーホルダー等の装具、あるいは、カード等の携帯品として具体化され、催事会場にてユーザに配布される。
【００６７】
また、投稿用端末２０は、第１の実施形態における画像の撮影機能、パターン認識機能、画像の合成機能に加えて、タグＩＤを読み取る機能を備えている。また、登録用端末５０も、タグＩＤの読み取り機能を備えている。
【００６８】
［情報管理サーバの構成］
次に、図１０を参照して、情報管理サーバ３０における認証データベース３２ａのデータ構成について説明する。
【００６９】
図１０に示されるように、認証データベース３２ａでは、受付番号と、基本情報と、会員認証キーと、タグＩＤとが対応付けられている。例えば、「０００００１」の受付番号には、基本情報として会員の氏名である「山田太郎」が対応付けられ、また、会員認証キーとして「０７６２２５０７７」が対応付けられている。また、これらの情報には、タグＩＤとして「２８ｂ４８ｄｒｆ」が対応付けられている。
【００７０】
制御部３３のデータ処理部３３ｂは、投稿用端末２０から送信されるタグＩＤと、上述の認証データベース３２ａに記憶されているタグＩＤとを照合して、送信されたタグＩＤと一致するタグＩＤに対応付けられている会員認証キーを特定する。
【００７１】
［情報アップロードシステムの作用］
図１１を参照して、情報管理サーバ３０を用いて行われる会員制ウェブサイトサーバ１０への情報のアップロードの手順について説明する。
【００７２】
本実施形態では、第１の実施形態と同様に事前登録が行われ、催事会場にて登録用端末５０によってタグＩＤの登録が行われる。登録用端末５０には、予めタグＩＤの登録処理を行う登録用アプリケーションソフトウェアがインストールされている。
【００７３】
タグＩＤの登録処理では、まず、ユーザによって、登録用端末５０に事前登録の際に通知された受付番号が入力される。続いて、ユーザによって、配布されたタグ６０が登録用端末５０の読み取り部分にかざされることにより、登録用端末５０にタグＩＤが読み取られる。登録用端末５０は、入力された受付番号と読み取ったタグＩＤとを情報管理サーバ３０へ送信する。
【００７４】
情報管理サーバ３０のデータ更新部３３ａは、送信された受付番号に基づいて、認証データベース３２ａにおいて該当する受付番号と対応付けられている基本情報及び会員認証キーを特定する。そして、データ更新部３３ａは、特定された基本情報及び会員認証キーと、送信されたタグＩＤとを対応付けて認証データベース３２ａを更新する。
【００７５】
なお、事前登録とタグＩＤの登録とは、事前登録の際にタグＩＤの登録が行われる態様であってもよい。例えば、事前登録の際に、ユーザにタグＩＤが割り当てられるとともに、当該タグＩＤが基本情報及び会員認証キーと対応付けられて認証データベース３２ａに登録され、当該タグＩＤを有する二次元コードがメールによってユーザが有する携帯端末等に送信される。この場合、二次元コードが表示された携帯端末がタグ６０となる。要するに、事前登録とタグＩＤの登録とは、基本情報と会員認証キーとタグＩＤとが対応付けられた上述の認証データベース３２ａが構築される手順で行われればよい。
【００７６】
図１１に示されるシーケンス図を参照して会員制ウェブサイトサーバ１０への情報のアップロードの手順について説明する。なお、ここでは、アップロードデータベース３２ｂにて、ジェスチャー種類の一つにピースサインが設定され、ピースサインには、投稿用端末２０による撮影画像を個人用ページに投稿することがアップロード指定情報として対応付けられている場合について説明する。
【００７７】
催事会場内において、ユーザは、会員制ウェブサイトへの投稿を行いたい場合に、タグ６０を投稿用端末２０の読み取り部分にかざす。これによってタグＩＤが投稿用端末に読み取られる（ステップＳ３０）。
【００７８】
タグＩＤが読み取られると、投稿用端末２０は、被照合情報としてタグＩＤを情報管理サーバ３０に送信する（ステップＳ３１）。情報管理サーバ３０は、受信されたタグＩＤに基づいて、認証データベース３２ａに登録されたタグＩＤから、受信されたタグＩＤと一致するタグＩＤを特定する。そして、情報管理サーバ３０は、特定されたタグＩＤと認証データベース３２ａとに基づいて、当該タグＩＤと対応付けられている会員認証キー及び基本情報を特定する（ステップＳ３２）。会員認証キー及び基本情報が特定されると、情報管理サーバ３０は、会員認証キーの特定が完了したことを通知する完了通知を投稿用端末２０に送信する（ステップＳ３３）。
【００７９】
以後、第１の実施形態における先の図６に示すステップＳ１４〜ステップＳ２６と同様の処理が行われる。すなわち、完了通知が受信されると、投稿用端末２０にてジェスチャーの認識が行われ、情報管理サーバ３０は、投稿用端末２０から送信されるジェスチャーの認識情報に基づいて、認識されたジェスチャー種類と対応付けられているアップロード指定情報を特定する。アップロード指定情報によって指定される投稿内容に応じて、投稿用端末２０では、画像の撮影と認識されたジェスチャーに応じた画像の合成とユーザに対する投稿の確認とが行われ、画像データが情報管理サーバ３０に送信される。情報管理サーバ３０は、アップロード指定情報に基づいて、会員制ウェブサイトサーバ１０に会員認証キーと画像データとを送信する。会員制ウェブサイトサーバ１０は、会員認証キーの認証を行った後に、送信された画像データを処理する。これにより、会員制ウェブサイトのユーザ個人のページに合成画像が投稿される。
【００８０】
なお、タグ６０は、タグＩＤの読み取り時にのみ投稿用端末２０にかざされてもよく、会員制ウェブサイトサーバ１０への情報のアップロードが完了するまで、投稿用端末２０の読み取り部分に設置されていてもよい。タグ６０が、情報のアップロードが完了するまで、投稿用端末２０の読み取り部分に設置されている場合、ユーザの混同が起こることが抑制される。
【００８１】
このように、情報管理サーバ３０には、タグＩＤと会員制ウェブサイトの会員認証キーとが対応付けられたデータ、及び、投稿用端末２０にて認識されるジェスチャーの種類とアップロード指定情報とが対応付けられたデータが記憶されている。そして、投稿用端末２０から送信されるタグＩＤとジェスチャーの認識結果とに基づいて、情報管理サーバ３０は、会員制ウェブサイトサーバ１０へ情報をアップロードする。
【００８２】
したがって、ユーザが投稿用端末２０にタグ６０をかざし、投稿用端末２０のカメラに向かってジェスチャーを行うという簡易な動作によって、会員制ウェブサイトサーバ１０へ情報がアップロードされる。
【００８３】
また、本実施形態でも、基本情報や会員認証キーといったユーザの個人情報は、情報管理サーバ３０に記憶されており、タグ６０や投稿用端末２０には登録されていない。したがって、個人情報の不正な読み取り等に対するセキュリティを高めることができる。
【００８４】
以上説明したように、第２の実施形態によれば、第１の実施形態の（３），（５）〜（７）の効果に加えて、以下の効果が得られる。
（８）投稿用端末２０から送信されるタグＩＤとジェスチャーの認識結果とに基づいて、情報管理サーバ３０は、会員制ウェブサイトサーバ１０へ情報をアップロードする。したがって、ユーザ自らが情報のアップロードのための認証処理や投稿処理等を行う場合と比べて、会員制ウェブサイトサーバ１０に情報をアップロードする際に必要とされるユーザの手間が軽減される。
【００８５】
（９）投稿用端末２０によって読み取られたタグＩＤに基づいて、会員認証キーの特定が行われるため、簡易な態様で、認証情報の特定を行うことができる。
（変形例）
上記各実施形態は、以下のように変更して実施することが可能である。
【００８６】
・第１の実施形態における顔認証技術は、上述の態様に限らず、公知である他の顔認証技術を採用できる。
・第２の実施形態におけるタグとして、タグＩＤが記憶されたＩＣチップを備えるＩＣタグが用いられてもよい。この場合、タグＩＤは近距離無線通信によって投稿用端末２０に読み取られる。
【００８７】
・上記実施形態では、顔の認識情報もしくはタグＩＤに基づいて会員認証キーが特定された後に、ジャスチャーの認識が行われる。これに代えて、投稿用端末２０が、顔の認識情報もしくはタグＩＤとジェスチャーの認識情報とを一度に情報管理サーバ３０に送信し、情報管理サーバ３０にて会員認証キーの特定とアップロード指定情報の特定とが並行して行われてもよい。例えば、情報管理サーバ３０は、完了通知の送信（ステップＳ１３、ステップＳ３３）を省略してもよい。あるいは、ジェスチャーの認識情報に基づいてアップロード指定情報の特定がなされた後に、顔の認識もしくはタグＩＤの読み取りが行われてもよい。要は、顔の認識情報もしくはタグＩＤに基づいて会員認証キーが特定され、認識されたジェスチャーの種類に基づいてアップロード指定情報が特定されればよい。
【００８８】
・アップロード指定情報の特定が必要とされない場合には、アップロード指定情報の特定（ステップＳ１６、ステップＳ１７）が省略されてもよい。例えば、投稿用端末２０にて認識可能なジェスチャーが１種類に設定される場合や、全てのジェスチャー種類に対して同一の投稿先と投稿内容とによる情報のアップロードがなされる場合等には、アップロード指定情報の特定が必要とされない。より具体的には、投稿用端末２０にて認識可能なジェスチャーがピースサインのみに設定され、ジェスチャーが認識された場合には、個人用ページに投稿用端末２０による撮影画像が投稿される場合、投稿用端末２０にてジェスチャーが認識されることに基づいて、画像の撮影が行われる。こうした場合には、記憶部３２はアップロードデータベース３２ｂを記憶していなくてよい。要は、ジェスチャーが認識されることを条件として、情報が会員制ウェブサイトサーバ１０にアップロードされる態様であればよい。
【００８９】
・上記実施形態では、１つのジェスチャー種類に対して、１つのアップロード指定情報が対応付けられるが、１つのジェスチャー種類に対して、複数のアップロード指定情報が対応付けられてもよい。例えば、ピースサインに対して、個人用ページへ所定の文章を投稿することを指定するアップロード指定情報と、催事用ページの所定の記事に支持票を投稿することを指定するアップロード指定情報とが対応付けられる。この場合、投稿用端末２０によるピースサインの認識に伴って、ユーザの個人用ページに文章が投稿されるとともに、催事用ページの記事に支持票が投稿される。
【００９０】
・図１２に示されるように、アップロードデータベース３２ｂが、投稿用端末２０の端末識別情報である端末ＩＤとジェスチャー種類とアップロード指定情報とから構成されてもよい。すなわち、アップロードデータベース３２ｂでは、端末ＩＤとジェスチャー種類とにアップロード指定情報が対応付けられてもよい。例えば、「ｖｉｏｂｅｅｔ０１」という端末ＩＤとピースサインとには、個人用ページに撮影画像を投稿することを指定するアップロード指定情報が対応付けられている。また、「ｄｏｖｇｆｔａ２３」という端末ＩＤとピースサインとには、個人用ページに写真ｂを投稿することを指定するアップロード指定情報が対応付けられている。この場合、投稿用端末２０は、ジェスチャーの認識情報の送信時に、ジェスチャーの認識情報ととともに当該投稿用端末２０の端末ＩＤを情報管理サーバ３０に送信する。情報管理サーバ３０における制御部３３のデータ処理部３３ｂは、投稿用端末２０から受信された端末ＩＤとジェスチャーの認識結果とに基づいて、アップロードデータベース３２ｂからアップロード指定情報を特定する。こうした構成によれば、ユーザが異なる投稿用端末２０に対して同じジェスチャーを行った場合に、会員制ウェブサイトサーバ１０への情報のアップロード態様を異ならせることが可能となる。したがって、会員制ウェブサイトサーバ１０へアップロードされる内容が多様化される。
【００９１】
・アップロードデータベース３２ｂにおけるジェスチャー種類とアップロード指定情報との対応付けが、時刻等の条件によって切り替えられてもよい。例えば、図１３に示されるように、アップロードデータベース３２ｂでは、端末ＩＤとジェスチャー種類と時間とアップロード指定情報とが対応付けられる。例えば、「ｖｉｏｂｅｅｔ０１」という端末ＩＤとピースサインとに対して、「０：００〜１２：００」の時間には個人用ページに写真ｄを投稿することを指定するアップロード指定情報が対応付けられている。また、「１２：００〜２４：００」の時間には個人用ページに写真ｅを投稿することを指定するアップロード指定情報が対応付けられている。この場合、情報管理サーバ３０における制御部３３のデータ処理部３３ｂは、投稿用端末２０から受信された端末ＩＤとジェスチャーの認識結果と時間情報とに基づいて、アップロードデータベース３２ｂからアップロード指定情報を特定する。これによれば、ユーザが同じジェスチャーを行った場合に、時刻に応じて、会員制ウェブサイトサーバ１０への情報のアップロード態様を異ならせることが可能となる。したがって、会員制ウェブサイトサーバ１０へアップロードされる内容が多様化される。なお、時刻に代えて、投稿回数等の条件によってジェスチャー種類とアップロード指定情報との対応付けが切り替えられてもよい。
【００９２】
・投稿用端末２０にて認識されるジェスチャーは、静的なポーズに限らず、動的な身体の動作であってもよい。また、投稿用端末２０が認識する対象は、ジェスチャーに限らず、例えば、ユーザが所持している物であって、文字、図形、記号、形状等に基づいて認識される物であってもよいし、ユーザから発せられる音声であってもよい。要は、公知のパターン認識技術を用いて認識可能な対象であればよい。
【００９３】
・ジェスチャーの認識結果に基づいて合成される画像は、上述の図案Ｃに限らず、撮影写真のフレームとなる模様や、風景や人物の写真であってもよい。例えば、投稿用端末２０が店舗に設置される場合等には、店舗や商品のマークが合成されれば、こうしたマークが合成された画像が会員制ウェブサイトに投稿されるため、店舗や商品の宣伝効果を得ることができる。
【００９４】
・ジェスチャーの認識結果に基づいて合成される画像は、ジェスチャーの種類に応じて異なる画像であってもよい。また、ジェスチャーの認識結果に基づいて合成される画像は、ジェスチャーの種類に応じて異なる位置に合成されてもよい。こうした場合、認識されるジェスチャー種類と、合成される画像の種類や位置を指定する画像指定情報とが対応付けられたデータが予め投稿用端末２０に格納され、このデータに基づいて画像の合成が行われる。あるいは、ジェスチャーの種類に関わらず、同じ位置に同じ画像が合成されてもよい。要は、ジェスチャーの認識結果に基づいて画像の合成がなされればよい。
【００９５】
・上記実施形態では、撮影された画像に対して所定の画像の合成がなされたが、撮影が行われる前のカメラによって映し出されている画像に対して所定の画像が合成されてもよい。また、ユーザに対して投稿の確認が行われた後に画像が合成されて情報管理サーバ３０に送信されてもよい。また、ジェスチャーの認識結果に応じて、所定の位置に所定の画像を合成する機能が情報管理サーバ３０に備えられ、投稿用端末２０から送信された撮影画像に対して、情報管理サーバ３０が所定の画像を合成してもよい。この場合、ユーザは、会員制ウェブサイトを閲覧することによって、合成画像を確認することができる。
【００９６】
・ジェスチャーの認識に基づいて画像が合成されず、投稿用端末２０で撮影された画像が会員制ウェブサイトに投稿されてもよい。これによっても、上述の（１）〜（５），（７）〜（９）の効果は得られる。
【００９７】
・ユーザに対する投稿の確認が行われなくてもよい。これによっても、上述の（１）〜（６），（８），（９）の効果は得られる。
・上記実施形態では、情報管理サーバ３０に記憶される会員制ウェブサイトサーバ１０における会員の認証情報として、会員認証キーを用いたが、ユーザが使用する会員ＩＤ（識別コードやパスワード）が顔データやタグＩＤと対応付けられて情報管理サーバ３０に記憶されるようにしてもよい。
【００９８】
・事前登録サイトは、会員制ウェブサイトと連動しない別のウェブサイトとして用意されてもよい。
・催事の内容は、展示会や音楽祭の他、スポーツイベント、スタンプラリー、抽選会等であってもよい。例えば、投稿用端末２０による顔の認識もしくはタグＩＤの読み取りとジェスチャーの認識とに伴って、スタンプラリーでのスタンプの取得や抽選会での抽選が行われ、その結果が会員制ウェブサイトサーバ１０にアップロードされてもよい。また、催事に限らず、店舗や商品に対して投稿用端末２０が設けられてもよい。
【００９９】
・会員制ウェブサイトは、催事用ページと個人用ページとのいずれか一方のみを有するものであってもよいし、こうした区分けを有さないものであってもよい。また、会員制ウェブサイトサーバはクラウドを構成し、例えば、投稿用端末２０による顔の認識もしくはタグＩＤの読み取りとジェスチャーの認識とに伴って、所定の資料がクラウドストレージにおけるユーザのフォルダに保存されるようにしてもよい。すなわち、会員からの情報のアップロードを受付けるウェブサーバに情報がアップロードされる場合であれば、ウェブサーバのサービス内容やアップロードされる情報の内容に限らず、本開示の技術を適用することができる。
【符号の説明】
【０１００】
ＮＷ…ネットワーク、１０…会員制ウェブサイトサーバ、２０…投稿用端末、３０…情報管理サーバ、３１…通信部、３２…記憶部、３２ａ…認証データベース、３２ｂ…アップロードデータベース、３３…制御部、３３ａ…データ更新部、３３ｂ…データ処理部、４０…ユーザ端末、５０…登録用端末、６０…タグ。
【図１】
2014071494.tif 000003
【図２】
2014071494.tif 000004
【図３】
2014071494.tif 000005
【図４】
2014071494.tif 000006
【図５】
2014071494.tif 000007
【図６】
2014071494.tif 000008
【図７】
2014071494.tif 000009
【図８】
2014071494.tif 000010
【図９】
2014071494.tif 000011
【図１０】
2014071494.tif 000012
【図１１】
2014071494.tif 000013
【図１２】
2014071494.tif 000014
【図１３】
2014071494.tif 000015